(57)【要約】【課題】書類の挟持作業や取り出し作業が簡便であって、製造コストが低く、挟持した挟持物が滑動して脱落することの無い、簡単な構造のフィルム状ファイルを供すること。【解決手段】一枚のフィルム状薄板を適宜折り返すことによって形成された、基盤と覆い部が向かい合って挟持体を形成するフィルム状ファイルにおいて、挟持物の脱落を防ぐための脱落防止手段を設けたフィルム状ファイルを供する。前記脱落防止手段を前記基盤と覆い部の内の少なくとも一方のフィルムの、角に設けたポケット状あるいはたすき状の掛止手段とする。前記脱落防止手段を、基盤と覆い部を構成するフィルムどうしを掛止し合うためのフィルム端辺付近に設けた掛止手段とする。前記覆い部を複数とし、覆い部と覆い部が掛止し合うことを脱落防止手段とする。【選択図】　　　図８
2004009656.tif 000002
【特許請求の範囲】
【請求項１】
一枚のフィルム状薄板を適宜折り返すことによって形成された基盤と覆い部が向かい合って挟持体を形成するフィルム状ファイルにおいて、挟持物の脱落を防ぐための脱落防止手段を設けたフィルム状ファイル。
【請求項２】
一枚のフィルム状薄板を二つ折りにして基盤と覆い部を形成し、前記脱落防止手段を前記基盤と覆い部の内の少なくとも一方のフィルムの、角に設けたポケット状あるいはたすき状の掛止手段とする請求項１に記載したフィルム状ファイル。
【請求項３】
一枚のフィルム状薄板を二つ折りにして基盤と覆い部を形成し、前記脱落防止手段を、基盤と覆い部の内の少なくとも一方のフィルムの端辺に設けたポケット状体とする請求項１に記載したフィルム状ファイル。
【請求項４】
一枚のフィルム状薄板を二つ折りにして基盤と覆い部を形成し、前記脱落防止手段を、基盤又は覆い部を構成するフィルムの端辺に設けた折り返し部とする請求項１に記載したフィルム状ファイル。
【請求項５】
一枚のフィルム状薄板を二つ折りにして基盤と覆い部を形成し、前記脱落防止手段を、基盤と覆い部を構成するフィルムどうしを掛止し合うためのフィルム端辺付近に設けた掛止手段とする請求項１に記載したフィルム状ファイル。
【請求項６】
前記掛止手段を、基盤と覆い部の内の一方に掛止孔を設け、もう一方に突起物を設けて掛止させるものとした請求項５に記載するフィルム状ファイル。
【請求項７】
前記掛止手段を、基盤と覆い部のそれぞれに突起物を設け、双方の突起物どうしを掛止あるいは嵌合させるものとした請求項５に記載したフィルム状ファイル。
【請求項８】
前記掛止手段を、基盤と覆い部の内の一方のフィルム状薄板、あるいは双方のフィルム状薄板に舌状体設け、基盤と覆い部を合わせた状態で、他方のフィルム状薄板の舌状体に対応する位置に掛止孔を設け、前記舌状体を挿嵌して掛止させるものとする請求項５に記載したフィルム状ファイル。
【請求項９】
前記、一枚のフィルム状薄板を適宜折り返すことによって形成された基盤と覆い部が向かい合って挟持体を形成するフィルム状ファイルにおいて、折り目によって形成された辺に隣接して重なり合う基盤の辺と覆い部の辺の内の一組を合わせて接合した請求項１．２．４．５．６．７及び８に記載するフィルム状ファイル。
【請求項１０】
前記覆い部を複数とし、覆い部と覆い部が掛止し合うことを脱落防止手段とし、覆い部と覆い部が掛止し合うための掛止手段を有する請求項１に記載したフィルム状ファイル。
【請求項１１】
前記掛止手段を、複数の覆い部の内の少なくとも一つに突起物を設け、他の覆い部の内の少なくとも一つに掛止孔を設けて、突起物に掛止孔を掛止させるものとした請求項１０に記載するフィルム状ファイル。
【請求項１２】
前記掛止手段を、複数の覆い部の内の少なくとも二つに突起物を設け、突起物どおしを掛止あるいは嵌合させるものとした請求項１０に記載したフィルム状ファイル。
【請求項１３】
前記掛止手段を、複数の覆い部の内の少なくとも一つに舌状体設け、別の覆い部の内の少なくとも一つに掛止孔を設けて舌状体を挿嵌し掛止させるものとした請求項１０に記載するフィルム状ファイル。
【請求項１４】
前記掛止手段を、複数の覆い部の内の少なくとも二つに、鈎状掛止体を形成して掛合させるものとした請求項１０に記載したフィルム状ファイル。
【発明の詳細な説明】
【０００１】
【発明が属する技術分野】
フィルム状薄板を適宜折り返すことによって形成された基盤と覆い部が向かい合って挟持体を形成するフィルム状ファイルにおいて、挟持物の脱落を防ぐための脱落防止手段を設けたフィルム状ファイルに関するものである。
【０００２】
【従来の技術】
従来より、フィルム状ファイルは矩形のフィルムを二つ折りにして、二枚合わせになったフィルムの折り目に隣接する辺同士を合わせて接合し、開口部がＬ字状を呈する挟持用具であって、数枚の書類を挟持して整理するために使用されてきた。元来構造が簡単であり、単価も非常に安いことに特徴があるため、構造上の大きな変化はあまり見られなかった。関連する発明として特開平６−９２０７９に示されたようにファイルを連続させた物、特開２０００−５２６８１に示されたように見出し部を設けて見だし部材の位置を任意に設定できるようにした物等の出願がある。
【０００３】
前記、矩形のフィルムを二つ折りにしたフィルム状ファイルは開口部がＬ字状であるため、書類の挟持作業、取り出し作業が非常に簡単であり簡便な操作性に特徴がある。しかし、使用の過程に於いて書類量が増えてしまったような場合、書類が滑って脱落し易くなり、非常に扱いにくいものとなる。開口辺が下になっても収納されている書類が飛び出さないようにした発明が特開平１１−１１５３６１に示されているが、書類自体の差し替えをも防止するため、書類の挟持作業や取り出し作業の簡便性という目的からすると逆の効果が生じてしまう。書類の挟持作業や取り出し作業の簡便性を生かしながら、挟持された書類等が脱落せずに安心して使えるフィルム状ファイルが望まれる。
【０００４】
【発明が解決しようとする課題】
書類の挟持作業や取り出し作業が簡便であって、製造コストが低く、挟持した挟持物が滑動して脱落することの無い、簡単な構造のフィルム状ファイルを供すること。
【０００５】
【課題を解決するための手段】
一枚のフィルム状薄板を適宜折り返すことによって形成された基盤と覆い部が向かい合って挟持体を形成するフィルム状ファイルにおいて、挟持物の脱落を防ぐための脱落防止手段を設けたフィルム状ファイルを供する。
【０００６】
一枚のフィルム状薄板を二つ折りにして基盤と覆い部を形成し、前記脱落防止手段を前記基盤と覆い部の内の少なくとも一方のフィルムの、角に設けたポケット状あるいはたすき状の掛止手段とするフィルム状ファイルを供する。
【０００７】
一枚のフィルム状薄板を二つ折りにして基盤と覆い部を形成し、前記脱落防止手段を、基盤と覆い部の内の少なくとも一方のフィルムの端辺に設けたポケット状体とするフィルム状ファイルを供する。
【０００８】
一枚のフィルム状薄板を二つ折りにして基盤と覆い部を形成し、前記脱落防止手段を、基盤又は覆い部を構成するフィルムの端辺に設けた折り返し部とするフィルム状ファイルを供する。
【０００９】
一枚のフィルム状薄板を二つ折りにして基盤と覆い部を形成し、前記脱落防止手段を、基盤と覆い部を構成するフィルムどうしを掛止し合うためのフィルム端辺付近に設けた掛止手段とするフィルム状ファイルを供する。
【００１０】
前記掛止手段を、基盤と覆い部の内の一方に掛止孔を設け、もう一方に突起物を設けて掛止させるものとしたフィルム状ファイルを供する。
【００１１】
前記掛止手段を、基盤と覆い部のそれぞれに突起物を設け、双方の突起物どうしを掛止あるいは嵌合させるものとしたフィルム状ファイルを供する。
【００１２】
前記掛止手段を、基盤と覆い部の内の一方のフィルム状薄板、あるいは双方のフィルム状薄板に舌状体設け、基盤と覆い部を合わせた状態で、他方のフィルム状薄板の舌状体に対応する位置に掛止孔を設け、前記舌状体を挿嵌して掛止させるものとするフィルム状ファイルを供する。
【００１３】
前記、一枚のフィルム状薄板を適宜折り返すことによって形成された基盤と覆い部が向かい合って挟持体を形成するフィルム状ファイルにおいて、脱落防止手段あるいは掛止手段を有し、折り目によって形成された辺に隣接して重なり合う基盤の辺と覆い部の辺の内の一組を合わせて接合したフィルム状ファイルを供する。
【００１４】
前記覆い部を複数とし、覆い部と覆い部が掛止し合うことを脱落防止手段とし、覆い部と覆い部が掛止し合うための掛止手段を有するフィルム状ファイルを供する。
【００１５】
前記掛止手段を、複数の覆い部の内の少なくとも一つに突起物を設け、他の覆い部の内の少なくとも一つに掛止孔を設けて、突起物に掛止孔を掛止させるものとしたフィルム状ファイルを供する。
【００１６】
前記掛止手段を、複数の覆い部の内の少なくとも二つに突起物を設け、突起物どおしを掛止あるいは嵌合させるものとしたフィルム状ファイルを供する。
【００１７】
前記掛止手段を、複数の覆い部の内の少なくとも一つに舌状体設け、別の覆い部の内の少なくとも一つに掛止孔を設けて舌状体を挿嵌し掛止させるものとしたフィルム状ファイルを供する。
【００１８】
前記掛止手段を、複数の覆い部の内の少なくとも二つに、鈎状掛止体を形成して掛合させるものとしたフィルム状ファイルを供する。
【００１９】
【発明の実施の形態】
発明の実施の形態について図を用いて説明する。
図１は実施例１の斜視図である。柔軟性と弾性を有する一枚のフィルム状薄板を折り目１で二つ折りにし、折り目１を挟んで片側半分を基盤２とし、他方を覆い部３とする。基盤２上部の端辺４１と下部の端辺４３のそれぞれに脱落防止手段である折り返し部５１および折り返し部５３を形成し、折り目１と平行する端辺４２近くに掛止孔６を形成する。覆い部３の端辺４５の先を折り返して脱落防止手段である折り返し部５４とし、その中央付近に舌状体７を設ける。
【００２０】
使用に当たっては基盤２の上に書類を載せ、折り返し部５１と折り返し部５３によって書類の上端部と下端部を押さえ、覆い部３を閉じてこれを覆い、折り返し部５４で書類を基盤ごと包むように基盤２の裏側に折り込む。舌状体７を掛止孔６に挿嵌して掛止する。以上により書類は基盤２と覆い部３によって挟持される。書類は折り返し部５１および折り返し部５３によって上端および下端が押さえられ、上下に滑動することが防げる。また、折り返し部５４と折り目１によって書類が左右に滑動することが妨げる。前記の通り、折り返し部５１・折り返し部５３および折り返し部５４が書類の脱落防止手段として機能し、挟持物が滑動して脱落することの無い、簡単な構造のフィルム状ファイルが形成できる。
【００２１】
図２は実施例２の斜視図である。一枚のフィルム状薄板を折り目１で二つ折りにし基盤２と覆い部３を構成する。基盤２の、折り目１と接しない角８１付近と角８２付近の双方に新たなフィルム片を接合して、たすき部９あるいはポケット部５５を形成して脱落防止手段とする。書類の二つの角をたすき部９あるいはポケット部５５に掛け、基盤２と覆い部３によって挟み込むことにより、挟持物が滑動して脱落することの無い、簡単な構造のフィルム状ファイルが形成できる。
角８１と角８２に設ける脱落防止手段はたすき部９あるいはポケット部５５のいずれでもよく、双方を一つずつ配することやそれを入れ替えて配することも可能である。また、覆い部３の側にたすき部９あるいはポケット部５５を配することや、基盤２と覆い部３の双方にたすき部９あるいはポケット部５５を配することも可能である。
【００２２】
たすき部９あるいはポケット部５５を配してない側、本実施例では覆い部３の角８３付近を端辺４４と端辺４５に平行して、また、覆い部３の角８４付近を端辺４５と端辺４６に平行して、それぞれフィルムの端をわずかに切り欠いて覆い部３の幅を狭め、覆い部３を書類と共に、基盤２に設けたたすき部９あるいはポケット部５５に挟み込むことと、より確実に書類が挟持できるようになる。一枚のフィルム状薄板を折り目１で二つ折りにし、基盤２と覆い部３が合わさった状態で重なり合う一組の端辺どうし、本実施例では端辺４３と端辺４４を掛止し合う掛止手段を有するか、一組の端辺どうし本実施例では端辺４３と端辺４４が接合されていた場合、本実施例の脱落防止手段であるたすき部９あるいはポケット部５５が一つ有ることにより書類の滑動を押さえて確実に挟持できるようになる。
【００２３】
図３は実施例３の斜視図であり、一枚のフィルム状薄板を折り目１で二つ折りにし基盤２と覆い部３を構成する。基盤２に於ける折り目１と接しない端辺４２の先端を折り返すか新たなフィルム片を接合して、ポケット部５６を形成して脱落防止手段とする。ポケット部５６に書類の端を挿入してから覆い部３を閉じて書類を挟持することから、書類の４つの辺の内の３つの辺がポケット部５６によって保持され、残りの１つの辺が折り目１によって押さえられて、挟持された書類が滑動して脱落することが妨げる。覆い部３の折り目１に接しない角８３付近と角８４付近を切り欠いて覆い部３の幅を狭め、覆い部３の端辺４５を書類と共にポケット部５６に挿入することにより、書類の挟持がより確実となる。
【００２４】
図４は実施例４の斜視図であり、一枚のフィルム状薄板を折り目１で二つ折りにし基盤２と覆い部３を構成する。本実施例は基盤２の端辺４１には折り返し部５１を、端辺４２には折り返し部５２を、端辺４３には折り返し部５３それぞれを設けて脱落防止手段としたものである。書類を基盤２の上に置き、書類の端を折り返し部５１，折り返し部５２および折り返し部５３によって挟み込み、覆い部３で覆うことにより書類を挟持する。折り返し部５１，折り返し部５２および折り返し部５３が書類の脱落防止手段として機能し、挟持物が滑動して脱落することの無い、簡単な構造のフィルム状ファイルが構成できる。基盤２と覆い部３が合わさった状態で重なり合う一組の端辺どうし、本実施例では端辺４３と端辺４４を掛止し合う掛止手段を有するか、一組の端辺どうし本実施例では端辺４３と端辺４４が接合されていた場合、折り返し部が二カ所有ることで確実に書類を挟持できる。
【００２５】
図５の図Ａは実施例５の斜視図である。一枚のフィルム状薄板を折り目１で二つ折りにし、基盤２と覆い部３を形成する。折り目１を除く基盤２の各辺、つまり端辺４１・端辺４２・端辺４３のそれぞれの中央付近の内側に突起物２０１・突起物２０２・突起物２０３を形成する。フィルムを折り目１で折り、基盤２と覆い部３を合わせた状態で、前記、突起物２０１・突起物２０２・突起物２０３に対応する覆い部３上の位置に掛止孔６１１・掛止孔６１２・掛止孔６１３をそれぞれ形成する。前記突起物２０１に掛止孔６１１を、掛止孔６１２に突起物２０２を、突起物２０３に掛止孔６１３をそれぞれ嵌合させることにより、前記掛止手段とする。
【００２６】
図Ｂは図Ａに於けるＸ−Ｘ線上の断面図であって、掛止孔６１２に突起物２０２が嵌合した状態を表す拡大図である。突起物２０２は球状体であって外径が掛止孔６１２の内径最短部を上回る。使用するフィルム状薄板の柔軟性と弾性によって、掛止孔６１２の径が押し広げられ、突起物２０２が嵌合する。突起物２０１と掛止孔６１１、突起物２０３と掛止孔６２３も同様に嵌合する。書類を基盤２と覆い部３で挟持し、前記掛止孔６１１・掛止孔６１２及び掛止孔６１３に嵌合した突起物２０１・突起物２０２及び突起物２０３と折り目１が書類の各辺を押さえるため、前記掛止手段が書類の脱落防止手段として機能し、挟持物が滑動して脱落することの無い、簡単な構造のフィルム状ファイルが構成できる。前記掛止孔６１１と突起物２０１、掛止孔６１２と突起物２０２、掛止孔６１３と突起物２０３はそれぞれが位置を入れ替えることが可能である。
【００２７】
図６の図Ａは実施例６の一部断面を含む斜視図である。一枚のフィルム状薄板を折り目１で二つ折りにし、基盤２と覆い部３を形成する。折り目１を除く基盤２の各辺、つまり端辺４１・端辺４２・端辺４３のそれぞれに沿って付け根が細く、付け根から離れ対置で太くなる帯状の突起物２１１を形成する。突起物２１１は各辺ごとに分かれていても連続していても機能に大きな違いはない。フィルムを折り目１で折り、基盤２と覆い部３を合わせた状態で前記突起物２１１に対応する位置に、覆い部３に突起物２２１を形成する。突起物２２１も突起物２１１と同様に付け根が細く、付け根から離れ対置で太くなる帯状の突起物であって、複数がほぼ平行して並んだものである。前記突起物２１１に突起物２２１を嵌合させることにより、前記掛止手段とする。
【００２８】
図Ｂは図Ａに於けるＸ−Ｘ線上の断面図であって、前記突起物２１１に突起物２２１が嵌合した状態を表すものである。突起物２２１を形成する帯状体と帯状体の間に隙間２４を形成し、隙間２４に突起物２１１を挿嵌して突起物２２１と突起物２１１を嵌合させ、前記掛止手段とする。書類を基盤２と覆い部３で挟持し、書類の各辺を前記突起物２１１と突起物２２１の嵌合及び折り目１によって押さえるため、前記掛止手段が書類の脱落防止手段として機能し、挟持物が滑動して脱落することの無い、簡単な構造のフィルム状ファイルが構成できる。前記掛止掛止手段の突起物２１１と突起物２２１の位置を入れ替えることや、各辺ごとに配された前記突起物の長さを極めて短いものにして、各辺の中央付近のみに配することでもほぼ同様の効果を得ることが出来る。
【００２９】
図７の図Ａは実施例７の斜視図である。一枚のフィルム状薄板を折り目１で二つ折りにし、基盤２と覆い部３を形成する。基盤２あるいは覆い部３であるフィルムの折り目１を除くの各辺に沿って掛止孔６２１・掛止孔６２２・掛止孔６２３を形成する。フィルムを折り目１で折り、基盤２と覆い部３を合わせた状態で、折り目１を挟んだもう一方のフィルム上の前記掛止孔６２１・掛止孔６２２・掛止孔６２３に対応する位置に舌状体７１・舌状体７２・舌状体７３をそれぞれ形成する。前記掛止孔６２１に舌状体７１、掛止孔６２２に舌状体７２、掛止孔６２３に舌状体７３をそれぞれ挿嵌させることにより、掛止手段とする。
【００３０】
図Ｂは図Ａに示した実施例７の閉じた状態を示した斜視図であり、前記掛止孔６２１に舌状体７１、掛止孔６２２に舌状体７２、掛止孔６２３に舌状体７３がそれぞれ挿嵌した状態を表すものである。書類を基盤２と覆い部３で挟持し、書類の各辺を前記掛止孔に挿嵌された舌状体７１．舌状体７２．舌状体７３及び折り目１によって押さえるため、前記掛止手段が書類の脱落防止手段として機能し、挟持物が滑動して脱落することの無い、簡単な構造のフィルム状ファイルが構成できる。前記掛止孔６２１と舌状体７１、掛止孔６２２と舌状体７２、掛止孔６２３と舌状体７３はそれぞれが位置を入れ替えることが可能である。
【００３１】
図８は実施例８の斜視図であり、実施例２を変形したものであって、一枚のフィルム状薄板を折り目１で二つ折りにして基盤２と覆い部３を形成し、角８１にポケット部５５を設け、端辺４３と端辺４４を合わせて接合し、接合辺９０としたものである。使用に当たっては基盤２と覆い部３の間に書類を挟持し、書類の肩をポケット部５５に差し込む。折り目１と接合辺９０によって書類の２辺が支持され、残りの２辺がポケット部５５によって支持されるため、挟持物が滑動して脱落することを防止できる。覆い部３の角８４を端辺４５と端辺４６に沿って切り欠き、覆い部３を書類と共にポケット部５５に挿入すると、書類をより確実に挟持できる。ポケット部５５を実施例２に於ける、たすき部９に置きかえた場合、ポケット部５５を配したものと同様の効果が得られる。
【００３２】
また、接合されていない端辺４１と端辺４６及び端辺４２と端辺４５の二組の端辺に他の掛止手段あるいは脱落防止手段つまり、実施例４に於ける脱落防止手段である端辺４１と端辺４２に折り返し部５１と折り返し部５２を設けること、実施例５に於ける掛止手段である突起物２０１・突起物２０２及び掛止孔６２１・掛止孔６２２を設けそれぞれを嵌合させること、実施例６に於ける掛止手段である突起物２１１に突起物２２１を嵌合させること、及び、実施例７に於ける掛止手段である掛止孔６２１・掛止孔６２２に舌状体７１・舌状体７２をそれぞれ挿嵌させることによっても、ポケット部５５を配したものと同様の効果が得られる。
【００３３】
図９の図Ａは実施例９の斜視図である。一枚のフィルム状薄板を折り目１１、折り目１２、折り目１３及び折り目１４で折り、基盤２の周囲に覆い部３１、覆い部３２、覆い部３３及び覆い部３４を形成する。覆い部３１、覆い部３２、覆い部３３及び覆い部３４の内の少なくとも一つに突起物２０４を設け、他のものの少なくとも一つに掛止孔６３を形成する。使用に当たっては基盤２の上に書類を置き、覆い部３１、覆い部３２、覆い部３３及び覆い部３４の内、突起物２０４あるいは掛止孔６３を有さないものを折り重ね、次いで突起物２０４を有するもの、掛止孔６３を有する物の順で折り重ねる。前記覆い部に設けた突起物２０４に前記掛止孔６３を嵌合させて掛止手段とする。
【００３４】
図Ｂは図Ａに於けるＸ−Ｘ線上の断面図であって、突起物２０４に掛止孔６３とが嵌合した状態を表すものである。突起物２０４は球状体であり、外径が掛止孔６３の内径最短部を上回る。使用するフィルム状薄板の柔軟性と弾性によって、掛止孔６３の径が押し広げられ、突起物２０４が掛止孔６３に嵌入する。書類を基盤２と覆い部３３で挟持し、書類の各辺を折り目１１、折り目１２、折り目１３及び折り目１４によって押さえ、前記掛止手段である突起物２０４の掛止孔６３への嵌入が覆い部の開くことを防止するため、基盤２の周囲に覆い部３１、覆い部３２、覆い部３３及び覆い部３４を形成し、その内のいずれかに突起物２０４を設け、他のものに掛止孔６３を形成したことが書類の脱落防止手段として機能し、挟持物が滑動して脱落することの無い、簡単な構造のフィルム状ファイルが構成できる。前記掛止孔６３及び突起物２０４の位置を他の覆い部に移動することやそれぞれを複数個配することも可能である。
【００３５】
図１０の図Ａは実施例１０の斜視図である。一枚のフィルム状薄板を折り目１１、折り目１２、折り目１３及び折り目１４で折り、基盤２の周囲に覆い部３１、覆い部３２、覆い部３３及び覆い部３４を形成する。覆い部３１、覆い部３２、覆い部３３及び覆い部３４の内の少なくとも一つに突起物２０５を設け、他のものの少なくとも一つに突起物２３１を形成する。使用に当たっては基盤２の上に書類を置き、覆い部３１、覆い部３２、覆い部３３及び覆い部３４の内、突起物２０５あるいは突起物２３１を有さないものを折り重ね、次いで突起物２０５を有するもの、突起物２３１を有する物の順で折り重ねる。前記覆い部に設けた突起物２０５に前記突起物２３１を嵌合させて掛止手段とする。
【００３６】
図Ｂは図Ａに於けるＸ−Ｘ線上の断面図であって、突起物２０５に環状の突起物２３１とが嵌合した状態を表すものである。環状の突起物２３１は付け根が細く、付け根から離れた位置で太くなる帯状体を環状にしたものである。突起物２０５は球状体であり、外径が環状の突起物２３１の内径最短部を上回る。使用するフィルム状薄板の柔軟性と弾性によって、突起物２３１の内径最短部が押し広げられ、環状の突起物２３１に突起物２０５が嵌合する。書類を基盤２と覆い部３１・覆い部３２・覆い部３３・覆い部３４で挟持し、書類の各辺を折り目１１、折り目１２、折り目１３及び折り目１４によって押さえ、前記掛止手段である突起物２０５の前記突起物２３１への嵌合が覆い部３の開くこと防止して書類の脱落防止手段として機能し、挟持物が滑動して脱落することの無い、簡単な構造のフィルム状ファイルが構成できる。前記前記突起物２３１及び突起物２０５の位置を他の覆い部に移動することやそれぞれを複数個配することも可能である。
【００３７】
図１１の図Ａは実施例１１の斜視図である。一枚のフィルム状薄板を折り目１１、折り目１２、折り目１３及び折り目１４で折り、基盤２の周囲に覆い部３１、覆い部３２、覆い部３３及び覆い部３４を形成する。覆い部３１、覆い部３２、覆い部３３及び覆い部３４の内の少なくとも一つに舌状態７４を設け、他のものの少なくとも一つに掛止孔６４を形成する。使用に当たっては基盤２の上に書類を置き、覆い部３１、覆い部３２、覆い部３３及び覆い部３４の内、掛止孔６４あるいは舌状態７４を有さないものを折り重ね、次いで掛止孔６４を有する物、舌状態７４を有するものの順で折り重ねる。前記覆い部に設けた前記掛止孔６４に舌状態７４を挿嵌して掛止手段とする。
【００３８】
図Ｂは図Ａに於ける覆い部３１、覆い部３１、覆い部３２、覆い部３３、覆い部３４を閉じた状態の斜視図であり、掛止孔６４に舌状態７４が挿嵌した状態を表すものである。書類を基盤２と覆い部３１、覆い部３１、覆い部３２、覆い部３３及び覆い部３４で挟持し、書類の各辺を折り目１１、折り目１２、折り目１３及び折り目１４によって押さえ、掛止手段である掛止孔６４に舌状態７４が挿嵌して覆い部３１、覆い部３２、覆い部３３及び覆い部３４が開くことを防止することで書類の脱落防止手段として機能し、挟持物が滑動して脱落することの無い、簡単な構造のフィルム状ファイルが構成できる。前記掛止孔６４と舌状態７４を他の覆い部に移動することやそれぞれを複数個配することも可能である。
【００３９】
図１２の図Ａは実施例１２の斜視図である。一枚のフィルム状薄板を折り目１１、折り目１２、折り目１３及び折り目１４で折り、基盤２の周囲に覆い部３１、覆い部３２、覆い部３３及び覆い部３４を形成する。覆い部３１、覆い部３２、覆い部３３及び覆い部３４の内の少なくとも２枚に鈎状掛止体３５１及び鈎状掛止体３５２を設ける。使用に当たっては基盤２の上に書類を置き、覆い部３１、覆い部３２、覆い部３３及び覆い部３４の内、前記鈎状掛止体を有さないものを折り重ね、次いで前記鈎状掛止体を有するものを折り重ね、鈎状掛止体３５１と鈎状掛止体３５２を掛合させて掛止手段とする。
【００４０】
図Ｂは図Ａに於ける実施例１２の掛止手段である鈎状掛止体３５１と鈎状掛止体３５２を掛合させた状体の拡大図である。覆い部３１、覆い部３２、覆い部３３及び覆い部３４を閉じて鈎状掛止体３５１と鈎状掛止体３５２を掛合した状態を表すものである。図１３に於ける図Ｃ及び図Ｄは鈎状掛止体の別例の拡大図であり、図Ｂの鈎状掛止体３５１と鈎状掛止体３５２を図ＣではＬ字型をした鈎状掛止体３５３・鈎状掛止体３５４に、図Ｄでは覆い部３に切れ目１００を入れた鈎状掛止体３５５・鈎状掛止体３５６に、それぞれ置きかえたものである。鈎状掛止体３５は機能として鈎状に掛合することが目的であって、形状は様々に変更できる。書類を基盤２と覆い部３１・覆い部３２・覆い部３３及び覆い部３４で挟持し、書類の各辺を折り目１１、折り目１２、折り目１３及び折り目１４によって押さえ、掛止手段である鈎状掛止体３５１と鈎状掛止体３５２、鈎状掛止体３５３と鈎状掛止体３５４、あるいは鈎状掛止体３５５と鈎状掛止体３５６が鈎状に掛合し合うことで覆い部３１、覆い部３２、覆い部３３及び覆い部３４の開くことを防止するため、前記掛止手段が書類の脱落防止手段として機能し、挟持物が滑動して脱落することの無い、簡単な構造のフィルム状ファイルが構成できる。
【００４１】
【発明の効果】
本発明は一枚のフィルム状薄板を適宜折り返すことによって形成された基盤と覆い部が向かい合って挟持体を形成するフィルム状ファイルにおいて、挟持物の脱落を防ぐための脱落防止手段を設けたフィルム状ファイルであるため次の効果を奏する。
【００４２】
脱落防止手段を有するため、挟持する書類の量が増えた場合でも、挟持物がファイルから滑動して脱落することを防ぐことが出来る。又、ファイルを乱暴に扱ったり、逆さにしてもても、挟持物がファイルから滑動して脱落することない。
【００４３】
一枚のフィルム状薄板を二つ折りにして基盤と覆い部を形成し、前記脱落防止手段を前記基盤と覆い部の内の少なくとも一方のフィルムの、角に設けたポケット状あるいはたすき状の掛止手段とするフィルム状ファイルであるため次の効果を奏する。
【００４４】
ポケット状あるいはたすき状の掛止体が書類の３辺を押さえ、折り目が残り１辺を押さえるため、挟持物がファイルから滑動して脱落することを防ぐことが出来る。
【００４５】
一枚のフィルム状薄板を二つ折りにして基盤と覆い部を形成し、前記脱落防止手段を、基盤と覆い部の内の少なくとも一方のフィルムの端辺に設けたポケット状体とするフィルム状ファイルであるため次の効果を奏する。
【００４６】
ポケット状体が書類の３辺を押さえ、折り目が残り１辺を押さえるため、挟持物がファイルから滑動して脱落することを防ぐことが出来る。
【００４７】
一枚のフィルム状薄板を二つ折りにして基盤と覆い部を形成し、前記脱落防止手段を、基盤又は覆い部を構成するフィルムの端辺に設けた折り返し部とするフィルム状ファイルであるため次の効果を奏する。
【００４８】
折り返し部が書類の３辺を押さえ、折り目が残りの１辺を押さえるため、挟持物がファイルから滑動して脱落することを防ぐことが出来る。
【００４９】
一枚のフィルム状薄板を二つ折りにして基盤と覆い部を形成し、前記脱落防止手段を、基盤と覆い部を構成するフィルムどうしを掛止し合うためのフィルム端辺付近に設けた掛止手段とするフィルム状ファイルであるため次の効果を奏する。
【００５０】
掛止手段が書類の３辺を押さえ、折り目が残り１辺を押さえるため、挟持物がファイルから滑動して脱落することを防ぐことが出来る。
【００５１】
前記掛止手段を、基盤と覆い部の内の一方に掛止孔を設け、もう一方に突起物を設けて掛止させるものとしたフィルム状ファイルであるため次の効果を奏する。
【００５２】
掛止孔に突起物を嵌合させて基盤と覆い部を掛着するため、突起物が書類の３辺を押さえ、折り目が残り１辺を押さえて、挟持物がファイルから滑動して脱落することを防ぐことが出来る。
【００５３】
前記掛止手段を、基盤と覆い部のそれぞれに突起物を設け、双方の突起物どうしを掛止あるいは嵌合させるものとしたフィルム状ファイルであるため次の効果を奏する。
【００５４】
突起物どうしを嵌合させて基盤と覆い部を掛着するため、突起物が書類の３辺を押さえ、折り目が残り１辺を押さえて、挟持物がファイルから滑動して脱落することを防ぐことが出来る。
【００５５】
前記掛止手段を、基盤と覆い部の内の一方のフィルム状薄板、あるいは双方のフィルム状薄板に舌状体設け、基盤と覆い部を合わせた状態で、他方のフィルム状薄板の舌状体に対応する位置に掛止孔を設け、前記舌状体を挿嵌して掛止させるものとするフィルム状ファイルであるため次の効果を奏する。
【００５６】
掛止孔に舌状体を挿嵌して掛止させ、基盤と覆い部を掛着するため、舌状体が書類の３辺を押さえ、折り目が残り１辺を押さえて、挟持物がファイルから滑動して脱落することを防ぐことが出来る。
【００５７】
前記、一枚のフィルム状薄板を適宜折り返すことによって形成された基盤と覆い部が向かい合って挟持体を形成するフィルム状ファイルにおいて、脱落防止手段あるいは掛止手段を有し、折り目によって形成された辺に隣接して重なり合う基盤の辺と覆い部の辺の内の一組を合わせて接合したフィルム状ファイルであるため次の効果を奏する。
【００５８】
折り目によって形成された辺に隣接して重なり合う基盤の辺と覆い部の辺の内の一組が接合された辺が書類の１辺を押さえ、折り目が残り１辺を押さえて、他の辺を前記脱落防止手段あるいは掛止手段が押さえて挟持物がファイルから滑動して脱落することを防ぐことが出来る。
【００５９】
前記覆い部を複数とし、覆い部と覆い部が掛止し合うことを脱落防止手段とし、覆い部と覆い部が掛止し合うための掛止手段を有するフィルム状ファイルであるため次の効果を奏する。
【００６０】
折り目が書類の周囲４辺を押さえ、掛止手段が覆い部が開くことを防ぐため、挟持物がファイルから滑動して脱落することを防ぐことが出来る。
【００６１】
前記掛止手段を、複数の覆い部の内の少なくとも一つに突起物を設け、他の覆い部の内の少なくとも一つに掛止孔を設けて、突起物に掛止孔を掛止させるものとしたフィルム状ファイルであるため次の効果を奏する。
【００６２】
折り目が書類の周囲４辺を押さえ、掛止孔に突起物が嵌合して覆い部が開くことを防ぐため、挟持物がファイルから滑動して脱落することを防ぐことが出来る。
【００６３】
前記掛止手段を、複数の覆い部の内の少なくとも二つに突起物を設け、突起物どおしを掛止あるいは嵌合させるものとしたフィルム状ファイルであるため次の効果を奏する。
【００６４】
折り目が書類の周囲４辺を押さえ、突起物どうしが嵌合して覆い部が開くことを防ぐため、挟持物がファイルから滑動して脱落することを防ぐことが出来る。
【００６５】
前記掛止手段を、複数の覆い部の内の少なくとも一つに舌状体設け、別の覆い部の内の少なくとも一つに掛止孔を設けて舌状体を挿嵌し掛止させるものとしたフィルム状ファイルであるため次の効果を奏する。
【００６６】
折り目が書類の周囲４辺を押さえ、舌状体が掛止孔に掛止して覆い部が開くことを防ぐため、挟持物がファイルから滑動して脱落することを防ぐことが出来る。
【００６７】
前記掛止手段を、複数の覆い部の内の少なくとも二つに、鈎状掛止体を形成して掛合させるものとしたフィルム状ファイルであるため次の効果を奏する。
【００６８】
折り目が書類の周囲４辺を押さえ、鈎状掛止体が掛合して覆い部が開くことを防ぐため、挟持物がファイルから滑動して脱落することを防ぐことが出来る。
【００６９】
【図面の簡単な説明】
【図１】実施例１の斜視図である。
【図２】実施例２の斜視図である。
【図３】実施例３の斜視図である。
【図４】実施例４の斜視図である。
【図５】図Ａは実施例５の斜視図である。
図Ｂは実施例５図Ａに於ける、掛止孔６１２に突起物２０２が嵌合した状態を示すＸＸ線上の拡大断面図である。
【図６】図Ａは実施例６の一部断面を含む斜視図である。
図Ｂは実施例６において突起物２２１に突起物２１１が嵌合した状態を示すＸＸ線上の拡大断面図である。
【図７】図Ａは実施例７の開いた状態を示す斜視図である。
図Ｂは実施例７が閉じた状態を示す斜視図である。
【図８】実施例８の斜視図である。
【図９】図Ａは実施例９の斜視図である。
図Ｂは実施例９図Ａに於ける突起物２０４に掛止孔６３が嵌合した状態を表すＸ−Ｘ線上の拡大断面図である。
【図１０】図Ａは実施例１０の斜視図である。
図Ｂは実施例１０図Ａに於ける突起物２０５に環状の突起物２３１が嵌合した状態を示すＸ−Ｘ線上の拡大断面図である。
【図１１】図Ａは実施例１１に於いて覆い部を開いた状態の斜視図である。
図Ｂは実施例１１に於ける覆い部を閉じた状態の斜視図であり、掛止孔に舌状体が挿嵌した状態を表すものである。
【図１２】図Ａは実施例１２の斜視図である。
図Ｂは実施例１２において鈎状掛止体３５１と鈎状掛止体３５２が掛合した状態にある掛止体の拡大図である。
【図１３】図ｃは実施例１２に於ける鈎状掛止体の別例であり、鈎状掛止体３５３と鈎状掛止体３５４が掛合した状態にある拡大図である。
図ｄは実施例１２に於ける鈎状掛止体の別例であり、鈎状掛止体３５５と鈎状掛止体３５６が掛合した状態にある拡大図である。
【符号の説明】
１　折り目
１１　折り目
１２　折り目
１３　折り目
１４　折り目
２　基盤
２０１　突起物
２０２　突起物
２０３　突起物
２０４　突起物
２０５　突起物
２１１　突起物
２２１　突起物
２３１　突起物
２４　隙間
３　覆い部
３１　覆い部
３２　覆い部
３３　覆い部
３４　覆い部
３５１　鈎状掛止体
３５２　鈎状掛止体
３５３　鈎状掛止体
３５４　鈎状掛止体
３５５　鈎状掛止体
３５６　鈎状掛止体
４１　端辺
４２　端辺
４３　端辺
４４　端辺
４５　端辺
４６　端辺
５１　折り返し部
５２　折り返し部
５３　折り返し部
５４　折り返し部
５５　ポケット部
５６　ポケット部
６　掛止孔
６１１　掛止孔
６１２　掛止孔
６１３　掛止孔
６２１　掛止孔
６２２　掛止孔
６２３　掛止孔
６３　掛止孔
６４　掛止孔
７　舌状体
７１　舌状体
７２　舌状体
７３　舌状体
７４　舌状態
８１　角
８２　角
８３　角
８４　角
９　たすき部
９０　接合辺
１００　切れ目
【図１】
2004009656.tif 000003
【図２】
2004009656.tif 000004
【図３】
2004009656.tif 000005
【図４】
2004009656.tif 000006
【図５】
2004009656.tif 000007
【図６】
2004009656.tif 000008
【図７】
2004009656.tif 000009
【図８】
2004009656.tif 000010
【図９】
2004009656.tif 000011
【図１０】
2004009656.tif 000012
【図１１】
2004009656.tif 000013
【図１２】
2004009656.tif 000014
【図１３】
2004009656.tif 000015